(57)【特許請求の範囲】
【請求項１】
複数の発光素子と、前記複数の発光素子の一端に接続された複数の共通ラインと、前記複数の発光素子の他端に接続された複数の駆動ラインと、前記複数の共通ラインを第１走査周期で走査するソースドライバと、前記複数の駆動ラインのうち点灯対象となる発光素子に接続されている１つ以上の駆動ラインから電流を引き込むシンクドライバと、を備えた表示装置であって、
前記ソースドライバは、前記第１走査周期での走査を開始する前に、前記複数の共通ラインのすべてまたは一部を前記第１走査周期より短い第２走査周期で走査し、
前記第２走査周期での走査においては、前記複数の共通ラインのうちの少なくとも２本の走査時間が少なくとも一部において重なることを特徴とする表示装置。
【請求項２】
複数の発光素子と、前記複数の発光素子の一端に接続された複数の共通ラインと、前記複数の発光素子の他端に接続された複数の駆動ラインと、前記複数の共通ラインを第１走査周期で走査するソースドライバと、前記複数の駆動ラインのうち点灯対象となる発光素子に接続されている１つ以上の駆動ラインから電流を引き込むシンクドライバと、を備えた表示装置であって、
前記ソースドライバは、前記第１走査周期での走査を開始する前に、前記複数の共通ラインのすべてまたは一部を前記第１走査周期より短い第２走査周期で走査し、
前記複数の共通ラインの寄生容量は、前記第２走査周期での走査を終えた後、前記第１走査周期での走査開始前に、各共通ラインの電位が所定の範囲に収まるよう放電されることを特徴とする表示装置。
【請求項３】
複数の発光素子と、前記複数の発光素子の一端に接続された複数の共通ラインと、前記複数の発光素子の他端に接続された複数の駆動ラインと、前記複数の共通ラインを第１走査周期で走査するソースドライバと、前記複数の駆動ラインのうち点灯対象となる発光素子に接続されている１つ以上の駆動ラインから電流を引き込むシンクドライバと、を備えた表示装置であって、
前記ソースドライバは、前記第１走査周期での走査を開始する前に、前記複数の共通ラインのすべてまたは一部を前記第１走査周期より短い第２走査周期で走査し、
前記第２走査周期での走査においては、前記複数の共通ラインのうちの少なくとも２本の走査時間が少なくとも一部において重なり、
前記複数の共通ラインの寄生容量は、前記第２走査周期での走査を終えた後、前記第１走査周期での走査開始前に、各共通ラインの電位が所定の範囲に収まるよう放電されることを特徴とする表示装置。
【請求項４】
複数の発光素子と、前記複数の発光素子の一端に接続された複数の共通ラインと、前記複数の発光素子の他端に接続された複数の駆動ラインと、前記複数の共通ラインを第１走査周期で走査するソースドライバと、前記複数の駆動ラインのうち点灯対象となる発光素子に接続されている１つ以上の駆動ラインから電流を引き込むシンクドライバと、を備えた表示装置であって、
前記ソースドライバは、前記第１走査周期での走査を開始する前に、前記複数の共通ラインのすべてまたは一部を前記第１走査周期より短い第２走査周期で走査し、
前記シンクドライバは前記第２走査周期での走査においては前記駆動ラインから電流を引き込まないことを特徴とする表示装置。
【請求項５】
前記第２走査周期での走査においては、前記複数の共通ラインのうちの少なくとも２本の走査時間が少なくとも一部において重なることを特徴とする請求項４に記載の表示装置。
【請求項６】
前記複数の共通ラインの寄生容量は、前記第２走査周期での走査を終えた後、前記第１走査周期での走査開始前に、各共通ラインの電位が所定の範囲に収まるよう放電される請求項４または５に記載の表示装置。
【請求項７】
前記ソースドライバは、前記第２走査周期での走査を終えた後、前記第１走査周期以内に前記第１走査周期での走査を開始する請求項１から６のいずれか１項に記載の表示装置。
【発明の詳細な説明】
【技術分野】
【０００１】
本開示は、表示装置に関する。
【背景技術】
【０００２】
従来、複数本の走査電極と複数本の信号電極とをマトリクス状に交差配置し、マトリクスの各交差点で表示素子を走査電極と信号電極との間の電圧によって駆動するドットマトリクス表示装置が提案された（特許文献１参照）。
【先行技術文献】
【特許文献】
【０００３】
【特許文献１】特開２００１−１０９４３３号公報
【発明の概要】
【発明が解決しようとする課題】
【０００４】
しかしながら、上記従来のドットマトリクス表示装置（表示装置）では、走査開始時に、最初に走査された走査電極（共通ライン）から複数の信号電極（駆動ライン）に向けて電流がリークし、これにより最初に走査された走査電極（共通ライン）に接続されている表示素子（発光素子）が誤点灯するという問題があった。
【課題を解決するための手段】
【０００５】
上記課題は、例えば、次の手段により解決することができる。
【０００６】
複数の発光素子と、前記複数の発光素子の一端に接続された複数の共通ラインと、前記複数の発光素子の他端に接続された複数の駆動ラインと、前記複数の共通ラインを第１走査周期で走査するソースドライバと、前記複数の駆動ラインのうち点灯対象となる発光素子に接続されている１つ以上の駆動ラインから電流を引き込むシンクドライバと、を備えた表示装置であって、前記ソースドライバは、前記第１走査周期での走査を開始する前に、前記複数の共通ラインのすべてまたは一部を前記第１走査周期より短い第２走査周期で走査することを特徴とする表示装置。
【発明の効果】
【０００７】
上記の表示装置によれば、走査開始時において最初に走査された共通ラインに接続されている発光素子が誤点灯することを防止することができる。
【図面の簡単な説明】
【０００８】
【図１Ａ】実施形態１に係る表示装置の回路図である。
【図１Ｂ】実施形態１に係る表示装置のタイミングチャートである。
【図２Ａ】実施形態２に係る表示装置の回路図である。
【図２Ｂ】実施形態２に係る表示装置のタイミングチャートである。
【図３Ａ】実施形態３に係る表示装置の回路図である。
【図３Ｂ】実施形態３に係る表示装置のタイミングチャートである。
【図４Ａ】実施形態４に係る表示装置の回路図である。
【図４Ｂ】実施形態４に係る表示装置のタイミングチャートである。
【発明を実施するための形態】
【０００９】
［実施形態１に係る表示装置］
図１Ａは実施形態１に係る表示装置の回路図であり、図１Ｂは実施形態１に係る表示装置のタイミングチャートである。図１Ａ、図１Ｂに示すように、実施形態１に係る表示装置は、複数の発光素子１〜４と、複数の発光素子１〜４の一端に接続された複数の共通ラインＣＯＭ１、２と、複数の発光素子１〜４の他端に接続された複数の駆動ラインＳＥＧ１、２と、複数の共通ラインＣＯＭ１、２を第１走査周期Ｔ１で走査するソースドライバと、複数の駆動ラインＳＥＧ１、２のうち点灯対象となる発光素子に接続されている１つ以上の駆動ラインＳＥＧ１、２から電流を引き込むシンクドライバと、を備えた表示装置であって、ソースドライバは、第１走査周期Ｔ１での走査を開始する前に、複数の共通ラインＣＯＭ１、２のすべてまたは一部を第１走査周期Ｔ１より短い第２走査周期Ｔ６で走査する表示装置である。以下、詳細に説明する。
【００１０】
（複数の発光素子１〜４）
複数の発光素子１〜４には、例えば図１に示した発光ダイオードを用いる。
【００１１】
（複数の共通ラインＣＯＭ１、２、複数の駆動ラインＳＥＧ１、２）
複数の共通ラインＣＯＭ１、２は複数の発光素子１〜４の一端に接続されており、複数の駆動ラインＳＥＧ１、２は複数の発光素子１〜４の他端に接続されている。共通ラインＣＯＭ１、２や駆動ラインＳＥＧ１、２には銅箔など（例：プリント配線基板の配線の一部）を用いる。共通ラインＣＯＭ１、２や駆動ラインＳＥＧ１、２は、プリント配線基板などにおいて、線状、面状（例：四角状、円状）などの様々な形状に形成することができる。「ライン」としたのは、プリント配線基板などに形成される共通ラインＣＯＭ１、２の実際の形状を線状に限定する趣旨ではなく、単に、回路図において共通ラインＣＯＭ１、２や駆動ラインＳＥＧ１、２を模式化した場合にこれを線で表示可能であるからに過ぎない。
【００１２】
（ソースドライバ）
ソースドライバとしては、例えば、半導体スイッチＳＷ１、２（例：ＰＮＰトランジスタ、Ｐチャネル型ＦＥＴ）、半導体スイッチＳＷ１、２を開閉するＦＰＧＡ（Ｆｉｅｌｄ  Ｐｒｏｇｒａｍｍａｂｌｅ  Ｇａｔｅ  Ａｒｒａｙ）あるいはマイコンなどの制御回路、及び定電圧源Ｖを備えた回路を用いることができる。ソースドライバは、複数の共通ラインＣＯＭ１、２のすべてまたは一部を第２走査周期Ｔ６で走査した後、複数の共通ラインＣＯＭ１、２を第１走査周期Ｔ１で走査する。第１走査周期Ｔ１での走査や第２走査周期Ｔ６での走査は例えば制御回路を用いて半導体スイッチＳＷ１、２を時分割で開閉することにより、共通ラインＣＯＭ１、２を定電圧源Ｖに接続し、共通ラインＣＯＭ１、２に順に電圧を印加することにより行うことができる。なお、第２走査周期Ｔ６での走査は、特に限定されるわけではないが、例えば、電源の投入やスリープ状態（パワーセーブ状態）からの復帰などにより開始される。
【００１３】
（ソースドライバ：第１走査周期Ｔ１での走査）
ソースドライバは、複数の共通ラインＣＯＭ１、２を第１走査周期Ｔ１で走査し、これにより、表示装置に所望の画像を表示させる。走査とは、複数の共通ラインＣＯＭ１、２に対して順に電圧を印加することをいい、走査周期とは、ある共通ラインＣＯＭ１、２に対して電圧を印加し始めてから次の共通ラインＣＯＭ１、２に対して電圧を印加し始めるまでの期間をいう。
【００１４】
第１走査周期Ｔ１での走査は第１の繰り返し走査周期Ｔ８（繰り返し走査周期とは、ある共通ラインに対して電圧を印加し始めてから当該共通ラインに対して再び電圧が印加されるまでの期間をいう。以下、同じ。）で繰り返され、例えば、共通ラインＣＯＭ１と共通ラインＣＯＭ２という２本の共通ラインがある場合、第１走査周期Ｔ１での走査は、「共通ラインＣＯＭ１→共通ラインＣＯＭ２→共通ラインＣＯＭ１→共通ラインＣＯＭ２→共通ラインＣＯＭ１→共通ラインＣＯＭ２・・・」などのように繰り返される。繰り返しの回数は特に限定されない。
【００１５】
第１走査周期Ｔ１の長さは、特に限定されるものではないが、例えば１６本の共通ラインが設けられた１／１６Ｄｕｔｙで点灯制御を行う表示装置においては、６５．１ｕｓなどとすることができる。この場合、１画面の表示（全１６本の共通ラインの走査の一巡）は９６０Ｈｚ周期で行われるので、リフレッシュレートは９６０Ｈｚとなる。第１走査周期Ｔ１は、第１走査周期Ｔ１での走査時間Ｔ２（走査時間とは、一の共通ラインに対して電圧が印加される時間をいう。以下、同じ。）より長くてもよいし、短くてもよいし、第１走査周期Ｔ１での走査時間Ｔ２（以下、第１走査周期Ｔ１での走査時間を「第１走査時間」という。）と同じであってもよい。第１走査周期Ｔ１が第１走査時間Ｔ２より長い場合は、非走査時間Ｔ３（非走査時間とは、どの共通ラインにも電圧が印加されない期間をいう。以下、同じ。）が生じるため、この間に、共通ラインＣＯＭ１、２の寄生容量Ｃ１、２を放電することができる。もっとも、一の共通ラインの寄生容量の放電は、非走査時間のほか、例えば、次に走査される共通ラインの走査開始時（次の共通ラインへの電圧印加開始後、駆動ラインから電流を引き込むまでの間）に行うこともできる。なお、実施形態１では、一例として、第１走査周期Ｔ１が第１走査時間Ｔ２より長いものとする。したがって、一の共通ラインの第１走査時間Ｔ２とそれ以外の共通ラインの第１走査時間Ｔ２が重なる期間は存在せず、一の共通ラインに対する電圧印加中にそれ以外の共通ラインに電圧が印加されることはない。
【００１６】
（ソースドライバ：第２走査周期Ｔ６での走査）
ソースドライバは、第１走査周期Ｔ１での走査を開始する前に、複数の共通ラインＣＯＭ１、２のすべてまたは一部を第１走査周期Ｔ１より短い第２走査周期Ｔ６で走査し、これにより、複数の駆動ラインＳＥＧ１、２の寄生容量Ｃ３、Ｃ４を充電する。すなわち、第２走査周期Ｔ６での走査により複数の共通ラインＣＯＭ１、２のすべてまたは一部に対して電圧を順に印加していくと、それら共通ラインＣＯＭ１、２の各々から複数の駆動ラインＳＥＧ１、２に向けてリーク電流が順に流れるので、この順に流れるリーク電流を利用して、複数の駆動ラインＳＥＧ１、２の寄生容量Ｃ３、Ｃ４を充電する。このようにすれば、第１走査周期Ｔ１での走査開始前に、複数の駆動ラインＳＥＧ１、２の電位が高められ、第１走査周期Ｔ１での走査において最初に走査される予定の共通ラインＣＯＭ１と複数の駆動ラインＳＥＧ１、２との電位差が小さくなるため、第１走査周期Ｔ１での走査開始時において、最初に走査される共通ラインＣＯＭ１から複数の駆動ラインＳＥＧ１、２に向けて流れるリーク電流の値が小さくなる。したがって、第１走査周期Ｔ１での走査開始時において最初に走査される共通ラインＣＯＭ１上の発光素子１、２が誤点灯（あるいは目立って誤点灯）することが防止される。
【００１７】
ここで、第２走査周期Ｔ６を第１走査周期Ｔ１より短くしたのは、複数の駆動ラインＳＥＧ１、２の寄生容量Ｃ３、Ｃ４を複数の共通ラインＣＯＭ１、２のすべてまたは一部によって時間的に分担して充電することにより、個々の共通ラインＣＯＭ１、２からリーク電流が流れ出る時間を短くし、これにより第２走査周期Ｔ６での走査中に発光素子１、２が誤点灯（あるいは目立って誤点灯）することを防止するためである。すなわち、上述のとおり、第２走査周期Ｔ６による走査では、複数の共通ラインＣＯＭ１、２のすべてまたは一部に対して電圧が順に印加され、それら共通ラインＣＯＭ１、２の各々から複数の駆動ラインＳＥＧ１、２に向けてリーク電流が順に流れるが、第２走査周期Ｔ６が第１走査周期Ｔ１以上の長さである場合には、第２走査周期Ｔ６で最初に走査される１本の共通ラインＣＯＭ１から比較的長い時間をかけて大きなリーク電流が流れ出てしまい、第２走査周期Ｔ６での走査中にこの最初に走査される共通ラインＣＯＭ１上の発光素子１、２が誤点灯（あるいは目立って誤点灯）してしまう。また、複数の駆動ラインＳＥＧ１、２の寄生容量Ｃ３、Ｃ４が、この最初に走査される共通ラインＣＯＭ１から流れ出たリーク電流によって充電され尽くしてしまい、複数の共通ラインＣＯＭ１、２のすべてまたは一部を第２走査周期Ｔ６で走査すること、すなわち、第２走査周期Ｔ６で複数の共通ラインＣＯＭ１、２のすべてまたは一部に電圧を順に印加することにした意味がなくなってしまう。そこで、実施形態１では、第２走査周期Ｔ６を第１走査周期Ｔ１より短い長さとすることにより、複数の駆動ラインＳＥＧ１、２の寄生容量が複数の共通ラインＣＯＭ１、２のすべてまたは一部によって時間的に分担して充電されるものとし、これにより、個々の共通ラインＣＯＭ１、２からリーク電流が流れ出る時間を短くした。このようにすれば、第２走査周期Ｔ６で最初に走査される１本の共通ラインＣＯＭ１から流れ出るリーク電流によって複数の駆動ラインＳＥＧ１、２の寄生容量Ｃ３、Ｃ４が充電され尽くしてしまうということもない。したがって、第２走査周期Ｔ６での走査中に発光素子１、２が誤点灯（あるいは目立って誤点灯）することがない。なお、第２走査周期Ｔ６は、例えば数ｕｓ以下にすることができるが、短ければ短いほど好ましい。短ければ短いほど、個々の共通ラインＣＯＭ１、２からリーク電流が流れ出る時間が短くなるためである。
【００１８】
第２走査周期Ｔ６での走査は、例えば、複数の駆動ラインＳＥＧ１、２が、第１走査周期Ｔ１での走査によりすべての共通ラインＣＯＭ１、２に一通り電圧が印加された後において有する電位と同程度の電位を有するものとなるよう行なわれることが好ましい。このようにすれば、第１走査周期Ｔ１での走査開始時における複数の駆動ラインＳＥＧ１、２の寄生容量Ｃ３、Ｃ４が第１走査周期Ｔ１での走査一巡後の電位と同程度になるため、第１走査周期Ｔ１での走査開始時において複数の駆動ラインＳＥＧ１、２の寄生容量Ｃ３、Ｃ４が充電不十分であることに基づくリーク電流の発生あるいは増大を防止して、第１走査周期Ｔ１の走査開始時において最初に走査される共通ラインＣＯＭ１上の発光素子１、２が誤点灯（あるいは目立って誤点灯）することを防止することができる。
【００１９】
ソースドライバは、第２走査周期Ｔ６での走査を１回だけ行なってもよいし、図１Ｂに示すように第２の繰り返し走査周期Ｔ９で繰り返し行ってもよい。すなわち、例えば、共通ラインＣＯＭ１と共通ラインＣＯＭ２という２本の共通ラインがある場合、「共通ラインＣＯＭ１→共通ラインＣＯＭ２→共通ラインＣＯＭ１→共通ラインＣＯＭ２→共通ラインＣＯＭ１→共通ラインＣＯＭ２・・・」などのように２本の共通ラインＣＯＭ１、２への電圧印加を繰り返してもよい。なお、第２走査周期Ｔ６での走査を繰り返し行う場合は、複数回の走査に分けて複数の駆動ラインＳＥＧ１、２の寄生容量Ｃ３、Ｃ４を充電することになるため、各共通ラインＣＯＭ１、２から流れ出るリーク電流が、第２走査周期Ｔ６での走査を行う期間全域で時間的に離散され、Ｄｕｔｙ比も５０％に近づく。したがって、第２走査周期Ｔ６での走査を１回だけ行なう場合よりも、第２走査周期Ｔ６での走査中における発光素子１、２の誤点灯（あるいは目立った誤点灯）を防止することができる。
【００２０】
第２走査周期Ｔ６は、第２走査周期Ｔ６での走査時間Ｔ５（以下、「第２走査時間Ｔ５」という。）より長くてもよいし、短くてもよいし、第２走査時間Ｔ５と同じであってもよいし、零であってもよい。第２走査周期Ｔ６が零である場合は、複数の共通ラインＣＯＭ１、２に対して一斉に電圧が印加される。なお、実施形態１では、一例として、第２走査周期Ｔ６が第２走査時間Ｔ５と同じであるものとする。このようにすれば、一の共通ラインに対する電圧印加中にそれ以外の共通ラインに電圧が印加されることはないが、この場合における第２走査周期Ｔ６での走査は、共通ラインの本数が２本である場合において、複数の発光素子１〜４をＤｕｔｙ比５０％の点灯率でダイナミック点灯制御させる場合の動作と同じ動作となる。なお、後述する実施形態２により非走査時間Ｔ７を設ければ点灯率をさらに下げることができる。第２走査時間Ｔ５は第１走査時間Ｔ２より短い方が好ましい。第１走査周期Ｔ１での走査を開始するまでの時間が短くなるからである。
【００２１】
（ソースドライバ：放電期間）
複数の共通ラインＣＯＭ１、２の寄生容量Ｃ１、Ｃ２は、第２走査周期Ｔ６での走査を終えた後、第１走査周期Ｔ１での走査を開始する前に、各共通ラインＣＯＭ１、２の電位が所定の範囲（例：２〜３Ｖ）に収まるよう放電されることが好ましい。各共通ラインＣＯＭ１、２の電位が所定の範囲を大きく超えていると、第１走査周期Ｔ１での走査開始後、点灯対象となる発光素子に接続されている共通ラインから駆動ラインを介して電流を引き込む際に、他の共通ラインの寄生容量が、当該他の共通ラインから点灯対象ではない発光素子を介して上記駆動ラインにリークしてしまい、点灯対象ではない発光素子が不要に点灯してしまう。他方、各共通ラインの電位が所定の範囲より小さくなると、それに伴って駆動ラインの電位も下がるため、ソースドライバによって第２走査周期Ｔ６での走査を行った意味がなくなり、第１走査周期Ｔ１での走査開始時に発光素子１、２が誤点灯をしてしまう。しかしながら、所定の範囲（例：２〜３Ｖ）に収まるように放電すれば、これらの問題は解決され、第１走査開始時における誤点灯（あるいは目立った誤点灯）を防止しつつ、第１走査開始後における不要な点灯を防止することができる。なお、本明細書では、駆動ラインＳＥＧ１、２の寄生容量Ｃ３、Ｃ４が十分に充電されていない場合の誤点灯を、共通ラインＣＯＭ１、２の寄生容量Ｃ１、Ｃ２が充電され過ぎている場合の誤点灯と区別するべく、前者の誤点灯を単に誤点灯といい、後者の誤点灯を不要な点灯と呼ぶことにする。
【００２２】
各共通ラインＣＯＭ１、２の寄生容量Ｃ１、Ｃ２は、第１走査周期Ｔ１での走査開始後においては、ソースドライバによる走査が行なわれるたびに、各共通ラインＣＯＭ１、２の電位が所定の範囲（例：２〜３Ｖ）に収まるようそれぞれ放電されることが好ましい。このようにすれば、第１走査周期Ｔ１での走査開始後において、発光素子１から４が不要に点灯することを防止することができる。なお、第１走査周期Ｔ１での走査開始後における各放電は、例えば、どの共通ラインにも電圧が印加されない期間や、個別の共通ラインの走査開始時（共通ラインへの電圧印加開始後、駆動ラインから電流を引き込むまでの間）などに行うことができる。
【００２３】
（放電回路）
共通ラインＣＯＭ１、２の寄生容量Ｃ１、Ｃ２の放電は、例えば、放電回路を用いて行うことができる。放電回路は、例えば、抵抗素子Ｒ１、２と、コンデンサＣ１１、１２と、半導体スイッチＳＷ５、６と、半導体スイッチＳＷ５、６を開閉するＦＰＧＡあるいはマイコンなどの制御回路と、を有している。半導体スイッチＳＷ５は、例えば、共通ラインＣＯＭ１への電圧印加中（すなわち半導体スイッチＳＷ１が閉じている間）は閉じており、共通ラインＣＯＭ１への電圧印加が終わると開く（すなわち半導体スイッチＳＷ１が開くと開く）。これにより、共通ラインＣＯＭ１の寄生容量Ｃ１の一部が共通ラインＣＯＭ１への電圧印加終了後にコンデンサＣ１１へと移動し、共通ラインＣＯＭ１の寄生容量Ｃ１が共通ラインＣＯＭ１の電位が所定の範囲（例：ソースドライバの電圧印加が５Ｖであれば２〜３Ｖ）に収まるよう放電される。また、半導体スイッチＳＷ６は、例えば、共通ラインＣＯＭ２への電圧印加中（すなわち半導体スイッチＳＷ２が閉じている間）は閉じており、共通ラインＣＯＭ２への電圧印加が終わると開く（すなわち半導体スイッチＳＷ２が開くと開く）。これにより、共通ラインＣＯＭ２の寄生容量Ｃ２の一部が共通ラインＣＯＭ２への電圧印加終了後にコンデンサＣ１２へと移動し、共通ラインＣＯＭ２の寄生容量Ｃ２が共通ラインＣＯＭ２の電位が所定の範囲（例：ソースドライバの電圧印加が５Ｖであれば２〜３Ｖ）に収まるよう放電される。そして、コンデンサＣ１１、１２に移動した寄生容量は、それぞれスイッチＳＷ５、６の閉じている間に放電される。
【００２４】
（シンクドライバ）
シンクドライバは、第１走査周期Ｔ１での走査において、複数の駆動ラインＳＥＧ１、２のうち点灯対象となる発光素子に接続されている１つ以上の駆動ラインから電流を引き込む。これにより、点灯対象となる発光素子が点灯する。なお、シンクドライバによる電流の引き込みは、ソースドライバが第１走査周期Ｔ１での走査を行っている間に行なわれる。シンクドライバは第２走査周期Ｔ６での走査においては駆動ラインから電流を引き込まない。シンクドライバとしては、例えば、半導体スイッチＳＷ３、４（例：ＮＰＮトランジスタ、Ｎチャネル型ＦＥＴ）とＦＰＧＡ（Ｆｉｅｌｄ  Ｐｒｏｇｒａｍｍａｂｌｅ  Ｇａｔｅ  Ａｒｒａｙ）あるいはマイコンなどと備える回路を用いることができる。シンクドライバは、例えば、制御回路を用いて半導体スイッチＳＷ３、４を開閉することにより、複数の駆動ラインＳＥＧ１、２のうち点灯対象となる発光素子に接続されている１つ以上の駆動ラインから電流を引き込む。
【００２５】
以上説明した実施形態１によれば、第１走査周期Ｔ１での走査を開始する前に、複数の共通ラインＣＯＭ１、２のすべてまたは一部が第２走査周期Ｔ６で走査され、これにより、複数の共通ラインＣＯＭ１、２のすべてまたは一部から複数の駆動ラインＳＥＧ１、２に向けてリーク電流が流れ、複数の駆動ラインＳＥＧ１、２の寄生容量Ｃ３、４が充電される。複数の駆動ラインＳＥＧ１、２の寄生容量が複数の共通ラインＣＯＭ１、２のすべてまたは一部によって分担して充電されるため、第２走査周期Ｔ６での走査中に発光素子１、２が誤点灯（あるいは目立って誤点灯）することはない。したがって、実施形態１によれば、発光素子１、２を誤点灯（あるいは目立って誤点灯）させることなく複数の駆動ラインＳＥＧ１、２の寄生容量Ｃ３、Ｃ４を充電してこれらの電位を高め、これにより第１走査周期Ｔ１での走査開始時において最初に走査される共通ラインＣＯＭ１から複数の駆動ラインＳＥＧ１、２に向けて流れるリーク電流の値を小さくすることができる。よって、実施形態１によれば、第１走査開始時において最初に走査された共通ラインＣＯＭ１に接続されている発光素子１、２が誤点灯することを防止することができる。
【００２６】
［実施形態２に係る表示装置］
図２Ａは実施形態２に係る表示装置の回路図であり、図２Ｂは実施形態２に係る表示装置のタイミングチャートである。図２Ａ、図２Ｂに示すように、実施形態２に係る表示装置は、非走査時間Ｔ７が生じるよう第２繰り返し走査周期の長さが設定される点で、実施形態１に係る表示装置と相違する。共通ラインの数や駆動ラインの寄生容量の大きさ如何によっては、第２走査周期Ｔ６での走査により発光素子１、２が誤点灯しやすくなることがあるが（あるいは誤点灯が目立ちやすくなることがあるが）、非走査時間Ｔ７が生じるよう第２繰り返し走査周期の長さを設定すれば、第２走査周期Ｔ６での走査における点灯率（リーク電流が流れる時間（６×Ｔ５）／第２走査周期Ｔ６での走査に費やす総時間（５×Ｔ６＋Ｔ５））を低下させることができるため、共通ラインの数や駆動ラインの寄生容量の大きさ如何にかかわらず、第２走査周期Ｔ６での走査により発光素子１、２が誤点灯（あるいは目立って誤点灯）することを防止することができる。
【００２７】
［実施形態３に係る表示装置］
図３Ａは実施形態３に係る表示装置の回路図であり、図３Ｂは実施形態３に係る表示装置のタイミングチャートである。図３Ａ、図３Ｂに示すように、実施形態３に係る表示装置は、第２走査周期Ｔ６が第２走査時間Ｔ５より短い点で、実施形態２に係る表示装置と相違する。第２走査周期Ｔ６を第２走査時間Ｔ５より短くすれば、図３Ｂに示すように、第２走査周期Ｔ６での走査において、複数の共通ラインのうちの少なくとも２本の走査時間が少なくとも一部において重なる。したがって、実施形態３によれば、例えば、実施形態２であれば１本の共通ラインから例えば大きさＸで流れ出るリーク電流が、ｎ本以上の共通ライン（ｎは２以上の整数）から同時に例えばＸ／ｎでそれぞれ流れ出ることになる。したがって、実施形態３によれば、より一層、第２走査周期Ｔ６での走査により発光素子１、２が誤点灯（あるいは目立って誤点灯）することを防止することができる。なお、２本以上の共通ラインにおいて第２走査時間Ｔ５の重なる期間が長いほど、１本の共通ラインからのみリーク電流が流れ出る時間を短くでき、かつ、リーク電流の大きさを小さく抑えることができる。また、駆動ラインＳＥＧ１、２を十分に充電するには、第２走査時間Ｔ５を長くとり、第２走査時間Ｔ５に対して第２走査周期Ｔ６の割合を小さくするのが望ましい。
【００２８】
［実施形態４に係る表示装置］
図４Ａは実施形態４に係る表示装置の回路図であり、図４Ｂは実施形態４に係る表示装置のタイミングチャートである。図４Ａ、図４Ｂに示すように、実施形態４に係る表示装置は、第２走査周期Ｔ６が第２走査時間Ｔ５より短い点で、実施形態１に係る表示装置と相違する。このようにしても、実施形態３の場合と同様に、より一層、第２走査周期Ｔ６での走査により発光素子１、２が誤点灯（あるいは目立って誤点灯）することを防止することができる。
【００２９】
［その他］
以上、実施形態１から４について説明したが、第１走査周期Ｔ１での走査は、第２走査周期Ｔ６での走査を終えた後（放電が行なわれる場合には放電を終えた後）、第１走査周期Ｔ１以内に開始することが好ましい。すなわち、第２走査周期Ｔ６での走査を終えてから第１走査周期Ｔ１での走査を開始するまでの期間Ｔ４は第１走査周期Ｔ１以下であることが好ましい。このようにすれば、充電された駆動ラインＳＥＧ１、２の寄生容量Ｃ３、Ｃ４が第１走査周期Ｔ１での走査を開始するまでの間に自然放電（シンクドライバのリーク電流を含む。）してしまうことを抑制することができる。
【実施例１】
【００３０】
次に、実施例１に係る表示装置について説明する。
【００３１】
実施例１に係る表示装置では、実施形態３とほぼ同様の構成をとり、５１２個の発光ダイオード（Ｒｅｄ、Ｇｒｅｅｎ、Ｂｌｕｅからなる３種類の発光ダイオードチップが含まれる。）を縦横４ｍｍ間隔で配置し、横方向に発光ダイオードのアノードを一端とした１６本の共通ラインと、縦方向に発光ダイオードのカソードを一端とした９６本（３２本×３色）の駆動ラインを配置した。
【００３２】
各共通ラインに時分割で電圧を印加するソースドライバには５Ｖで動作するＰチャネル型ＦＥＴを用い、駆動ラインから電流を引き込むシンクドライバには１５ｍＡ程度に設定した定電流駆動のＮＰＮトランジスタを用い、それらの制御にはＦＰＧＡを用いた。
【００３３】
放電回路の抵抗素子、コンデンサ、及び半導体スイッチには、それぞれ、１ｋΩの抵抗素子、０．０１ｕＦのコンデンサ、及びＮＰＮトランジスタを用いた。
【００３４】
第１走査周期での走査において最初に走査される共通ラインに接続された発光素子の誤点灯が防止されるという効果を分かりやすいように、あえてマトリクス状に配置された５１２個の発光ダイオードをすべて非点灯で表示をさせる。
【００３５】
第２走査周期での走査においては、各共通ラインへの電圧印加を６５．１ｕｓの第２繰返し走査周期で７０回程度繰返す。１つの第２繰返し走査周期内では、９５．２ｎｓの第２走査周期でもって順次、共通ラインへの選択が行われ、選択された共通ラインにおいてソースドライバが５Ｖの電圧を印加する第２走査時間を１．６ｕｓとし、以降すべての共通ラインへの電圧印加が一巡するまで、すなわち２７．０ｕｓ（＝１．６ｕｓ×１６＋９５．２ｎｓ×１５）の間これを繰り返した後、残りの３８．１ｕｓ（＝６５．１ｕｓ−２７．０ｕｓ）は非走査時間として各共通ラインに対して順次電圧を印加していたのを停止する。なお、シンクドライバは常時ＯＦＦである。そして、最後の電圧印加の後、各共通ラインの寄生容量を所定の範囲（例：２．４Ｖ）に収まるよう放電した後、第１走査周期での走査に移行する。
【００３６】
第１走査周期での走査においては、１／１６のＤｕｔｙ比でダイナミック駆動させ、第１繰返し走査周期は１．０４ｍｓ、選択された共通ラインにおいてソースドライバが５Ｖの電圧を印加する第１走査時間を５５．１ｕｓとし、第１走査周期６５．１ｕｓで次の共通ラインが選択され、以降これを繰り返す。この時、発光ダイオードは全て非点灯として制御されるため、各共通ラインの電圧印加に対して、駆動ライン側の電流引き込みは必要ないので、シンクドライバは常時ＯＦＦとしている。
【００３７】
このような表示装置について、暗室にて目視により確認したところ、発光ダイオードの誤点灯は確認されなかった。したがって、実施例１に係る表示装置は高品質な表示装置であると評価できる。
【００３８】
［比較例１］
次に、比較例１に係る表示装置について検討する。比較例１に係る表示装置としては、実施例１に係る表示装置と基本的には同じ構成を有しているが、第２走査周期での走査をしていない。これにより、暗室にて目視により確認したところ、第１走査周期での走査において一番目に走査される共通ラインに繋がる発光ダイオードが一瞬チラッと光る横線として誤点灯することが確認できた。したがって、比較例１に係る表示装置は、品質の悪い表示装置であると評価することができる。
【００３９】
以上、実施形態及び実施例について説明したが、これらの説明は、一例に関するものであり、特許請求の範囲に記載した構成を何ら限定するものではない。
【符号の説明】
【００４０】
１〜４          発光素子
ＣＯＭ１、２    共通ライン
ＳＥＧ１、２    駆動ライン
Ｃ１〜４        寄生容量
ＳＷ１〜６      半導体スイッチ
Ｖ              定電圧源
Ｃ１１、Ｃ１２  コンデンサ
Ｒ１、２        抵抗素子
Ｔ１    第１走査周期
Ｔ２    第１走査時間
Ｔ３    非走査時間
Ｔ４    第２走査周期での走査を終えてから第１走査周期での走査を開始するまでの期間
Ｔ５    第２走査時間
Ｔ６    第２走査周期
Ｔ７    非走査時間
Ｔ８    第１の繰り返し走査周期
Ｔ９    第２の繰り返し走査周期
【図１Ａ】
0006413560.tif 000002
【図１Ｂ】
0006413560.tif 000003
【図２Ａ】
0006413560.tif 000004
【図２Ｂ】
0006413560.tif 000005
【図３Ａ】
0006413560.tif 000006
【図３Ｂ】
0006413560.tif 000007
【図４Ａ】
0006413560.tif 000008
【図４Ｂ】
0006413560.tif 000009